(57)【要約】【課題】識別情報を備えた光ディスクの製造コストを抑えることができる光ディスク読取システム、及び製造コストの低い光ディスクを提供する。【解決手段】光ディスク読取システム１は、プレスマスターによりデータが記録されたＤＶＤ２と、このＤＶＤが有する識別情報を読み取って当該ＤＶＤ２を識別する識別手段を備え、ＤＶＤ２のセンター孔周辺部の透光可能な識別用円周領域の盤面に、前記識別情報を示すバーコードを直に印刷して設け、前記識別手段として、ＤＶＤ２のバーコードを読み取ることにより当該ＤＶＤ２を識別するバーコード読取手段１４を設けている。【選択図】図１
2008310920.tif 000002
【特許請求の範囲】
【請求項１】
プレスマスターによりデータが記録された光ディスクと、この光ディスクが有する識別情報を読み取って当該光ディスクを識別する識別手段を備えた光ディスク読取システムであって、
光ディスクのセンター孔周辺部の透光可能な識別用円周領域の盤面に、前記識別情報を示すバーコードを印刷して設け、
前記識別手段として、前記バーコードを読み取ることにより当該光ディスクを識別するバーコード読取手段を設けたことを特徴とする光ディスク読取システム。
【請求項２】
前記識別手段は、読み取った識別情報に基づいて適正な光ディスクであるか否かを判断し、適正な光ディスクであると判断したときには、通常処理を行い、適正な光ディスクでないと判断したときには、誤使用対処処理を行うことを行うことを特徴とする請求項１に記載の光ディスク読取システム。
【請求項３】
ディスク本体のセンター孔周辺部に透光可能な識別用円周領域を有すると共に、該識別用円周領域外側にデータ記録領域を有し、
前記データ記録領域にプレスマスターによりデータが記録され、
前記識別用円周領域の盤面に識別情報を示すバーコードを印刷して設けたことを特徴とする光ディスク。
【発明の詳細な説明】
【技術分野】
【０００１】
本発明は、光ディスクが有する識別情報を読み取って当該光ディスクを識別する識別手段を備えた光ディスク読取システム、及びこの光ディスク読取システムに使用される光ディスクに関する。
【背景技術】
【０００２】
従来、光ディスクに識別情報を設ける技術として特許文献１や特許文献２に示す技術がある。特許文献１には、ＣＤ（コンパクト・ディスク）のプレスマスター（ＣＤスタンパ）にバーコードを情報データと同様にビットにより設定する構成が記載されている。また特許文献２には、長方形の多数の凹部を半径方向へ形成した型枠を、光ディスクの付属品として備え、この型枠を光ディスクに貼り付け、貼り付けた状態で前記凹部底面に黒色のマジックなどで黒色を着色してバーコードを形成する構成が記載されている。
【特許文献１】特開平６−３０９８３０号公報
【特許文献２】特開２００５−１９０５７８号公報
【発明の開示】
【発明が解決しようとする課題】
【０００３】
光ディスク例えばＤＶＤ（デジタル・バーサタイル・ディスク）を製造する場合、まず、プレスマスターを作成し、このプレスマスターからＤＶＤを製造する。プレスマスターの作成には通常５０万円程度かかり、またプレスマスターから光ディスク製造単価としては２５０円ぐらいかかるとすると、ＤＶＤを１万枚以上製造する場合には、プレスマスターコストは大きな負担にならないが、例えば１００枚程度しか作らないような場合には光ディスク１枚当たりの製造コストは５２５０円となる。このように光ディスクの製造コストにプレスマスター製作コストが大きな割合を示すものである。
【０００４】
このため、異なる仕様のデータを光ディスクに記録するために、異なるプレスマスターをそれぞれ作成すると、光ディスク製作コストが上昇するため、前記異なる仕様のデータを共通化して、一枚のプレスマスターに入れ込むことが考えられている。たとえば、車両ナビゲーション装置に使用する地図ＤＶＤについて、Ａ機種向けとＢ機種向けとに共通のデータをプレスマスターに入れ込み、このプレスマスターから地図ＤＶＤを製作すると、当初Ａ機種向けのＤＶＤを、Ｂ機種向けのナビゲーション装置に入れたとき異なる地図データを読み込み可能となってしまう問題がある。
【０００５】
これを防止するために、光ディスクの識別情報（Ａ機種向けかＢ機種向けかなどのＩＤ情報）を該光ディスクに設け、ナビゲーション装置（光ディスク再生装置）側では、光ディスクの識別情報を判別し、自装置用の地図データであることを示す識別情報であるときには、自装置用の地図データを読み込み、自装置以外の識別情報であるときには、地図データを読み込まないようにすることを考えている。
【０００６】
このように、プレスマスターを共通化して光ディスクを製造し、識別情報を光ディスク個々に設けることは光ディスク製造コストの低廉化に極めて有効である。
ところで、光ディスクに、識別情報を設ける技術としては、前述した特許文献１や特許文献２に示される技術があるが、特許文献１に示された技術では、プレスマスターに識別情報を入れ込むため、識別情報の種類ごとにプレスマスターを作成しなければならず、光ディスク製造コストがかかり過ぎる問題がある。また、特許文献２に示された技術では、備品として光ディスク個々に型枠が必要であるため、これも光ディスク製造コストがかかり過ぎる問題がある。
【０００７】
本発明は、このような事情に鑑みてなされたものであり、その目的は、識別情報を備えた光ディスクの製造コストを抑えることができる光ディスク読取システム、及び製造コストの低い光ディスクを提供することにある。
【課題を解決するための手段】
【０００８】
請求項１の光ディスク読取システムにおいては、光ディスクのセンター孔周辺部の透光可能な識別用円周領域の盤面に、前記識別情報を示すバーコードを印刷して設けているから、識別情報の種類が異なってもプレスマスターは共通化でき、また印刷自体は極めてコストが安く、総じて、光ディスクの製造コストを抑えることができる。
【０００９】
請求項２の光ディスク読取システムは、請求項１に記載の光ディスク読取システムにおいて、読み取った識別情報に基づいて適正な光ディスクであるか否かを判断し、適正な光ディスクであると判断したときには、通常処理を行い、適正な光ディスクでないと判断したときには、誤使用対処処理を行うところに特徴があり、これによれば、適正な光ディスクであれば、光ディスクのデータ読み取りなどの通常処理を行い、適正な光ディスクでないときには、誤使用を知らせる表示などの誤使用対処処理を行うことができる。
【００１０】
請求項３の光ディスクにおいては、データ記録領域にプレスマスターによりデータを記録し、前記識別用円周領域の盤面に識別情報を示すバーコードを印刷して設けているから、バーコードによる識別情報をプレスマスターとは別に設けることができ、共通化したデータを記録したプレスマスターにより光ディスクの製造が可能で光ディスクの製造コストを安くでき、光ディスク個々には低コストで識別情報を簡単に設けることができる。
【発明を実施するための最良の形態】
【００１１】
以下、本発明の一実施例につき図面を参照して説明する。図１にはカーナビゲーション装置に用いられる光ディスク読取システム１の機能構成を示している。図２には光ディスクに相当する例えばカーナビゲーション装置用のＤＶＤ２を平面的に示している。図３には光ディスク読取システム１におけるＤＶＤ２のバーコード部分を示している。光ディスク読取システム１は、光ディスクに相当するＤＶＤ２と、モータ４と、スピンドル５と、バーコード読取部６と、バーコード信号処理部７と、バーコード解読部８と、制御部９と、モータ駆動回路１０、光ピックアップ１１と、キャリッジ機構１２と、信号処理部１３とを備えて構成されている。
【００１２】
ＤＶＤ２は、ディスク本体２ａ中心部にセンター孔２ｂを有し、該センター孔２ｂ周辺部に透明な（透光可能な）識別用円周領域２ｃを有すると共に、該識別用円周領域２ｃ外側の下面にデータ記録領域２ｄを有する。このデータ記録領域２ｄにプレスマスターによりデータが記録されている。このデータには、カーナビゲーション装置において使用する地図データなどが含まれており、例えば異なる機種で使用可能な地図データが共通化して記録されている。
【００１３】
前記識別用円周領域２ｃの盤面（例えば上面、データ記録領域２ｄと反対側の面）には識別情報を示すバーコード３を直に印刷して設けている。この印刷は、いわゆる汎用印刷機によるラベル印刷である。このバーコード３が示す識別情報には、前記異なる機種に適合させるためのＩＤ情報などが含まれている。このバーコード３はバー部分（黒色部分）のみが印刷されており、バー間は透明のままである。このＤＶＤ２には、データとしては複数の機種で使用されるデータが記録され、バーコード３には、異なる機種対応の識別情報が個別に含まれている。
【００１４】
前記ＤＶＤ２は前記モータ４及びスピンドル５を介して回転駆動されるようになっている。前記ＤＶＤ２のバーコード３を読み取るために前記バーコード読取部６が設けられている。このバーコード読取部６は、発光素子６ａ及び受光素子６ｂを有してなる。前記受光素子６ｂでは非受光及び受光のタイミングでバーコード検出信号を出力して前記バーコード信号処理部７に与える。このバーコード信号処理部７は、バーの幅、スペースの幅を検出して前記バーコード解読部８に与える。このバーコード解読部８は、バーの幅及びスペースの幅を数値化して前記制御部９に与える。この制御部９では上記数値化データに基づいて識別情報を判別する。この制御部９は例えばマイクロコンピュータを含んで構成されている。
【００１５】
さらにこの制御部９では、判別した識別情報により、当該ＤＶＤ２がこの機種のカーナビゲーション装置で使用するＤＶＤであるか（適正な光ディスクである）否かの判断をし、適正なＤＶＤであると判断したときには、通常処理を行い、適正なＤＶＤでないと判断したときには、誤使用対処処理を行う。前記通常処理は、前記モータ４を駆動回路１０を介して回転させてＤＶＤ２を回転させ、該ＤＶＤ２からの反射光を受光する光ピックアップ１１をキャリッジ機構１２により半径方向へ移動させながら、光ピックアップ１１から信号処理部１３を介してデータを取得し、ナビゲーション機能を行うものである。前記誤使用対処処理は、例えば前記制御部９が備えた表示器（図示せず）に、当該ＤＶＤが使用できない旨の表示を行う処理である。
【００１６】
前記バーコード読取部６と、バーコード信号処理部７と、バーコード解読部８と、制御部９とにより、識別手段としてのバーコード読取手段１４が構成されている。
このような本実施例における光ディスク読取システム１においては、ＤＶＤ２のセンター孔２ｂ周辺部の透光可能な識別用円周領域２ｃの盤面に、識別情報を示すバーコード３を印刷して設けているから、識別情報の種類が異なってもプレスマスターは共通化でき、また印刷自体は極めてコストが安く、総じて、光ディスクの製造コストを抑えることができる。
【００１７】
また、本実施例の光ディスク読取システム１によれば、読み取った識別情報に基づいて適正なＤＶＤであるか否かを判断し、適正なＤＶＤであると判断したときには、通常処理を行い、適正なＤＶＤでないと判断したときには、誤使用対処処理を行うから、適正なＤＶＤであれば、ＤＶＤのデータ読み取りなどの通常処理を行い、適正なＤＶＤでないときには、誤使用を知らせる表示などの誤使用対処処理を行うことができる。
【００１８】
また、本実施例のＤＶＤ２によれば、データ記録領域２ｄにプレスマスターによりデータを記録し、前記識別用円周領域２ｃの盤面に識別情報を示すバーコード３を印刷して設けているから、バーコード３による識別情報をプレスマスターとは別に設けることができ、共通化したデータを記録したプレスマスターによりＤＶＤの製造が可能でＤＶＤの製造コストを安くでき、ＤＶＤ個々には低コストで識別情報を簡単に設けることができる。
【００１９】
本発明は上記実施例に限定されるものではなく、例えば光ディスクとしてはＣＤでも良く、また、ナビゲーション装置以外にも、光ディスクを使用する機器全般に広く適用して実施できるものである。また、誤使用対処処理としてはブザーやスピーカによって誤使用報知を行なう処理であっても良い。
【図面の簡単な説明】
【００２０】
【図１】本発明の一実施例を示す光ディスク読取システムの機能構成のブロック図
【図２】ＤＶＤの平面図
【図３】光ディスク読取システムにおけるＤＶＤ部分の縦断側面図
【符号の説明】
【００２１】
図面中、１は光ディスク読取システム、２はＤＶＤ（光ディスク）、２ａはディスク本体、２ｂはセンター孔、２ｃは識別用円周領域、２ｄはデータ記憶領域、３はバーコード、６はバーコード読取部、９は制御部、１４はバーコード読取手段（識別手段）を示す。
【図１】
2008310920.tif 000003
【図２】
2008310920.tif 000004
【図３】
2008310920.tif 000005